(57)【要約】【課題】現場作業を大幅に減らして、安定した品質を確保して、工期の短縮を図る。【解決手段】庇８０の上面、立ち壁の上面にプライマー層４１、接着剤層４３を形成し、予め水切り部６６を一体成形した防水シート１０Ａ,１０Ｂを貼り、水切り部１７を先端面または側面に位置させる。【選択図】  図1
2015194078.tif 000002
【特許請求の範囲】
【請求項１】
庇の上面、立ち壁の上面にプライマー層、接着剤層を形成し、予め水切り部を一体成形した防水シートを貼り、水切り部を先端面または側面に位置させることを特徴とした防水シートの端部処理構造。
【請求項２】
防水シートは、防水ベース層の上面に、防水ベース層を保護するトップコート層が積層された成型された防水シートである請求項1記載の防水シートの端部処理構造。
【発明の詳細な説明】
【技術分野】
【０００１】
本発明は、建造物の屋上、ベランダなどの床面の防水方法に使用する防水シートの端部処理構造に関する。
【背景技術】
【０００２】
１．  ビルの最上階の床面（屋上）等を防水する場合には、アスファルト防水、シート防水、ウレタン塗膜防水などの方法がとられて、以下のような長所・短所があった。
【０００３】
（１）アスファルト防水
この工法は、２〜３枚のアスファルトルーフィング（シート状の基材にアスファルトを浸透させた材料）を熱融解させたアスファルトで交互に重ねながら防水層を形成する工法で、歴史と実績がある工法である。防水材料がアスファルトであるために、水密性が高く、アスファルトルーフィングの種類や重ねる枚数を調節することにより、様々な仕様に対応できる利点がある。また、作業者の熟練度により精度にバラツキがあるが、重ねることにより、精度の平均化が可能となっていた。
他方、この工法は、アスファルトを使用するために防水層が温度の変化に敏感であり、夏は垂れやすく、冬は硬化して破断しやすく、周縁部などの納まりが良くない短所もあった。また、施工中に高温のアスファルトを使用するために作業者の安全を確保しつつ作業をする必要があり、さらに煙や臭いが近隣に悪影響を与える問題点もあった。
【０００４】
（２）ゴムシート防水
この工法は厚さ１〜２ｍｍ程度のゴム材料からなる防水シートを接着剤で相互に貼り合わせて防水層を形成する工法である。この工法は、防水シートが工場で成型されるために品質が安定している利点があり、また、ゴムシートによる場合には、伸張性に富み、下地がひび割れなどを生じてもこれに追随することができた。
他方、この工法では、防水シートをジョイントした部分で施工不良があると剥離しやすい短所があり、ゴムシートによる場合には、加えて、下地に凸部が存在する場合や、鋭利な飛来物により傷つきやすい短所もあった。
【０００５】
（３）ウレタン塗膜防水
この工法は、２液成分の液体材料を施工時に混合撹拌したものを生成して、下地に吹き付け等により塗布して、反応固化させて、防水層を形成する工法である。
液状の材料を塗布するために、狭い場所や、設備用基礎が多くある屋上など平面が複雑な形状であっても納まりやすく容易に施工できる利点があり、またジョイントが無く、ジョイント部分で施工不良を防止できる利点があった。また、重ねて塗布することにより防水性能を高められるため、改修時には塗り重ねれば良く、低コストで防水層の改修が可能となる利点があった。更に、液体材料の選択により耐摩擦・耐衝撃を高めるなど種々の用途の仕様に対応することもでき、例えば、スポーツ用のグランドでの使用も可能であった。
他方、液状材料を塗布するため、水平に広がりやすく、下地面に不陸があると均一な厚みに施工できず、膜厚の確保が難しい短所があった。また、２液を現場で撹拌混合するために、撹拌混合が不十分であると未硬化など品質にバラツキを生じる短所もあった。
【０００６】
（４）塩化ビニルシート床
この工法は、集合住宅の開放廊下・階段およびベランダの簡易防水と意匠性とすべり防止を目的に塩化ビニル性の防水シートをウレタンおよびエポキシ樹脂系接着材で貼り付ける工法である。
その際、防水シートを施工しない溝や立ち上がり部分には、ウレタン防水材等を１０ｃｍラップする範囲まで先行して施工し、その上から塩化ビニル等の防水シートを施工する。防水シートは、接着材塗布直後に貼り付け可能で貼り付けたシートの上は、接着材の硬化を待たずに歩行が可能となるため、開放廊下・階段等の共有部分でも通行止めにする期間が短く、居住者の生活に支障が少ない。
但し、塩化ビニルシート防水材と同様に経年劣化により、シート中の可塑剤揮発によって硬くなると共に収縮が発生する。それによって、端部の浮きやジョイント部シールの切れが発生する。また、表層も色褪せて意匠性が低下する。そのため、改修にあたっては、既存の防水シート床材を接着材と併せて撤去し、再施工する必要があった。
【０００７】
上記（１）〜（４）のいずれの方法を採用しても、現場周囲に飛散防止養生が必要であり、また各段階で最低１日の硬化養生期間が必要であり、工期は１〜２週間を要する場合もあり、工期の長期化をまねいていた。
【０００８】
２．屋上緑化に使用する保水用パッドでは、発泡ウレタンを使用し、目地をテープで塞ぐ工法も提案されている（特許文献１）。
更に、ブチルゴムシートＡの表面で、中央側に小さなサイズのウレタンシートＢを貼り、周囲に織布又は不織布のテープを貼ったウレタンマットが提案され、また、このウレタンマットを機器の下に敷いて防水する施工方法が提案されている（特許文献２）。
【０００９】
また、防水シートの端部がめくれ上がらないように、コンクリート床面に固定する為には、防水シート上面からコンクリート躯体にアンカーを打っていた。すなわち、アンカーは防水シートを貫通して、コンクリート躯体に打ち込まれていた。この場合、アンカーは、鋼製であった。
また、これらの場合で、防水シートや防水皮膜の端部の処理については、経年変化を考慮した適正な処理方法が確立していなかった。
【先行技術文献】
【特許文献】
【００１０】
【特許文献１】特開２００２−８４８８９
【特許文献２】特開平９−１３１８３４
【発明の概要】
【発明が解決しようとする課題】
【００１１】
本発明の目的は、従来のアスファルト防水、シート防水、ウレタン塗膜防水、塩ビシート床等を使用した在来工法の問題点を解決して、現場での養生期間を短縮して、かつ均一な防水層を形成することができる防水シートの端部処理構造を提供することにある。
【課題を解決するための手段】
【００１２】
本発明は前記目的を達成するため、第１に、庇の上面、立ち壁の上面にプライマー層、接着剤層を形成し、予め水切り部を一体成形した防水シートを貼り、水切り部を先端面または側面に位置させること、第２に、防水シートは、防水ベース層の上面に、防水ベース層を保護するトップコート層が積層された成型された防水シートであることを要旨とするものである。
【００１３】
本発明は、型枠を使用して、求める機能でウレタン系の防水材層を含む１層または複数層の防水シートを予め工場で製造して、現場で貼るので、工期短縮をはじめとする前記問題点を解決した。
【発明の効果】
【００１４】
本発明において使用する防水シートは、凹凸成型枠を使用して予め工場などで、現場に合わせて、樹脂防水シートを製造して、現場で貼り合わせるので安定した品質確保のための準備ができ、更に、現場周囲への飛散防止用の養生、硬化を待つ養生期間など、現場作業を大幅に軽減できる効果があるが、本発明は、防水シートの端部処理に金属製のアンカーを使用しないで済むので、コンクリートに割れが生じるおそれもなく、追随性が有り、防水シートの変形が生じるおそれもないので、例えば２０年３０年などの長期の防水層の保障ができるものである。
【図面の簡単な説明】
【００１５】
【図１】本発明の防水シートの端部処理構造の第１実施例で、庇の上面に機能性部材を一体に成形した防水シートを貼った側面図である。
【図２】図１のＥ部の拡大図である。
【図３】本発明の防水シートの端部処理構造の第２実施例で、立ち壁の上面に機能性部材を一体に成形した防水シートを貼った側面図である。
【図４】図３のＦ部の拡大図である。
【図５】図５（ａ）〜（ｃ）は、本発明の実施に使用する防水シートの縦断面図である。
【発明を実施するための形態】
【００１６】
本発明に用いられる防水方法は次の通りである。
（１）  予め、施工現場外で、以下の（１−１）（１−２）の構成の「防水シート」を製造する。
（１−１）  成型型枠の平坦面で
・一般的な防水性能のウレタン樹脂系の一般用防水樹脂材料からなる「第１防水層」
・前記「第１防水層」より防水性能が高いウレタン樹脂系の高品質防水樹脂材料からなる「第２防水層」
が積層された「防水シート」を成型する。
（１−２）  前記「第１防水層」の周縁部と「第２防水層」の周縁部とを略一致させた。
（２）  施工現場の床面に、プライマーを塗布し、続いて「接着剤層」を形成する。
（３）  続いて、前記「接着剤層」上に、前記「防水シート」を敷き詰めて、前記床面上に「防水層」を形成する。
【００１７】
また、以下のようにして防水層を形成する床面の防水方法である。
（１）  予め、施工現場外で、以下の（１−１）（１−２）の構成の「防水シート」を製造する。
（１−１）  成型型枠の平坦面で、
・ウレタン樹脂系の防水樹脂材料からなる「防水ベース層」
・前記「防水ベース層」の上面に、「防水ベース層」を保護する「トップコート層」が積層された「防水シート」を成型する。
（１−２）  前記「防水ベース層」の周縁部と「トップコート層」の周縁部とを略一致させた。
（２）  施工現場の床面に、プライマーを塗布し、続いて「接着剤層」を形成する。
（３）  続いて、前記「接着剤層」上に、前記「防水シート」を、前記トップコート層を上にして、敷き詰めて、前記床面上に「防水層」を形成する。
【００１８】
また、以下のように構成した床面の防水方法である。
（１）  「防水ベース層」を
・ウレタン樹脂系の一般用防水樹脂材料からなる「第１防水層」
・前記「第１防水層」より防水性能が高いウレタン樹脂系の高品質防水樹脂材料からなる「第２防水層」の２層から構成する。
（２）  前記第１防水層、前記第２防水層、トップコート層の順で積層される。
【００１９】
また、他の発明は、床面に敷いて防水層を形成する際に使用する防水シートであって、防水施工現場以外で、予め以下のように構成することを特徴とする防水シートである。
（１）  床面側に、ウレタン樹脂系の防水樹脂材料からなる「防水ベース層」を形成する。
（２）  前記防水ベース層の上に、前記防水ベース層を保護するトップコート層を形成する。
（３）  前記防水ベース層の周縁部とトップコート層の周縁部とを一致させた。
【００２０】
また、他の発明は、床面に敷いて、防水層を形成する際に使用する防水シートであって、防水施工現場以外で、予め以下のように構成することを特徴とする防水シートである。
（１）  床面側に、一般的な防水性能のウレタン樹脂系の一般用防水樹脂材料からなる第１防水層を形成する。
（２）  前記第１防水層の上に、前記第１防水層より防水性能が高いウレタン樹脂系の高品質防水樹脂材料からなる第２防水層を形成する。
（３）  前記第１防水層の周縁部と第２防水層の周縁部とを略一致させた。
【００２１】
更に、前記において、前記第１防水層及び／又は前記第２防水層と一体に、防水シートの表面側又は裏面側に突出する機能性部材を成形したことを特徴とする防水シートである。
【００２２】
前記における「床面」は、屋根面に限らず、同様の防水が必要な水平面であれば、ベランダの水平面、渡り廊下の水平面、あるいは室内の床面も指す。また、同様の防水機能が求められる面であれば、水平面に限らず、傾斜面や垂直面、あるいは階段状の面に対しても適用することができる。
【００２３】
また、前記における「トップコート層」は防水層の防水性能を長持ちさせるための保護層で、紫外線防止、衝撃吸収、など様々な機能を有する。とりわけ、ウレタン系の防水樹脂材料を使用した場合には、紫外線による劣化を防ぐことが、防水性能を維持する上で重要になるので、トップコート層の役割が必要である。
【００２４】
また、前記における「接着剤層」は、ウレタン系の材質が望ましい。また、前記におけるプライマーもウレタン系が望ましい。
【００２５】
また、前記における「高品質ウレタン防水層」には、ウレア樹脂系の防水性能を有する材料を含む。
【００２６】
また、前記における「一般用防水樹脂材料」とは、従来の防水性能を有する樹脂材料で、使用部位において、必要な防水性能を具備していれば足りる。
【００２７】
また、前記における「機能性部材」とは、従来から現場で形成する防水層の周辺などにおいて、防水層と一体に形成される部材、あるいは予めシート状に成形する防水シートであるために必要となった部材であり、シートの端部に設けてシートをコンクリート面に固定させると共に水切りの役割をする部分をいう。
【００２８】
また、前記における「機能性部材」は防水シートが第１防水層、第２防水層から構成される場合には、機能性部材の部分も両防水層の２層で形成することが望ましいが、一方の防水層のみで成形することもできる。
【００２９】
１．  本発明の防水シートの端部処理構造に用いる防水シート１０は、全面にわたって複数層が形成される構成である（図５）。
【００３０】
（１）  ウレタン防水層を二層として、表面１１から裏面１２に順に
トップコート層３０
高品質ウレタン防水層３１
一般用ウレタン防水層３２
の三層を含む構成とした防水シート１０Ａとすることが望ましい（図３（ａ））。ここで、防水シート１０Ａの四周で、トップコート層３０の端縁３０ａ、高品質ウレタン防水層３１の端縁３１ａ、一般用ウレタン防水層３２の端縁３２ａがほぼ一致するように、揃えて形成される。また、この場合、一般用ウレタン防水層３２を省略して、
トップコート層３０
高品質ウレタン防水層３１
の二層を含む構成として防水シート１０Ａとすることもできる（図３（ｂ））。
【００３１】
（２）  また、求める防水性能によっては、トップコート層３０を省略して、
高品質ウレタン防水層３１
一般用ウレタン防水層３２
の二層を含む構成とした防水シート１０Ｂとすることもできる（図３（ｃ））。ここで、防水シート１０Ｂの四周で、高品質ウレタン防水層３１の端縁３１ａ、一般用ウレタン防水層３２の端縁３２ａがほぼ一致するように、揃えて形成される。この場合には、現場で、トップコート層４７を形成し、またはトップコート層４７を省略する。
【００３２】
（３）  前記におけるトップコート層３０は、ウレタン防水層に紫外線が当たることを防止し、あるいは各種の色や模様（平面模様、凹凸模様）を付加するために形成する。また、高品質ウレタン防水層３１はウレタン系防水樹脂以外に増量成分を含まない防水性能が高い層である。また、一般用ウレタン防水層３２は、ウレタン系防水樹脂に各種の増量成分を加えて、防止性能は劣るが、防水層の厚さを確保するための層である。
【００３３】
図１及び図２に基づき本発明の第１実施形態を説明する。この実施形態は、庇８０の上面８０ａ、塀などの独立した立ち壁８１の上面８１ａ等に、予め水切り部（機能性部材）１７を一体成形した防水シートを適用した。
【００３４】
コンクリート躯体の垂直面８から横方向に、庇８０が突出し、庇８０は上面８０ａ、先端に隅部８０ｃから下方に向けて略垂直の先端面８０ｂが形成されている。防水シート１０Ａ（１０Ｂ）は、一方の先端側に、「隅部８０ｃと先端面８０ｂとを押さえるシート押さえ部６３及び水切りカバー部６６が、下方に向けて突出した」水切り部１７を予め工場などで成形した構造とする（図２）。シート押さえ部６３の先端６３ａより水切りカバー部６６の先端６６ａが下方に位置する。
【００３５】
庇８０の上面８０ａ、先端面８０ｂに必要なプライマー層４１、接着剤層４３を同様に形成し、上面８０ａに防水シート１０Ａ（１０Ｂ）を貼り、水切り部１７を先端面８０ｂに位置させ（図１）、また垂直面８には他の防水シート１０Ａ（１０Ｂ）又は従来の防水処理を施す。防水シート１０Ａ（１０Ｂ）の端部処理や水切りを形成する作業を省略して、大幅に作業効率を高められる。庇８０と同様な構造のベランダなどにも適用できる（図示していない）。
【００３６】
図３及び図４に基づき本発明の第２実施形態を説明する。
コンクリート製などの立ち壁８１は、側面（略垂直）８１ｂ、８１ｂの上方に、隅部８１上面８１ａが形成されている。防水シート１０Ａ（１０Ｂ）は、両方の先端側に、「隅部８０ｃと先端面８０ｂとを押さえるシート押さえ部６３及び水切りカバー部６６が、下方に向けて突出した」水切り部１７、１７を予め工場などで成形した構造とする（図１８（ｂ））。同様にシート押さえ部６３の先端６３ａより水切りカバー部６６の先端６６ａが下方に位置する。
【００３７】
立ち壁８１の上面８１ａ、側面８１ｂに必要なプライマー層４１、接着剤層４３を同様に形成し、上面８１ａに防水シート１０Ａ（１０Ｂ）を貼り、水切り部１７を側面８１ｂに位置させる（図１７（ａ））。側面８１ｂには他の防水シート１０Ａ（１０Ｂ）又は従来の防水処理を施すこともできる。
【符号の説明】
【００３８】
８  垂直面
９  水平面
１０  防水シート
１０Ａ  防水シート（トップコート層有り）
１０Ｂ  防水シート（トップコート層無し）
１１  防水シートの表面
１２  防水シートの底面
１３  防水シートの連通孔
１７  防水シートの水切り部（機能性部材）
３０  防水シートのトップコート層
３０ａ  トップコート層の端縁
３１  防水シートの高品質ウレタン防水層（第１防水層）
３１ａ  高品質ウレタン防水層の端縁
３２  防水シートの一般用ウレタン防水層（第２防水層）
３２ａ  一般用ウレタン防水層の端縁
４１  プライマー層
４３  接着剤層
４５  現場防水層
４７  トップコート層
６３  樹脂固定具のシート押さえ部
６６  樹脂固定具の水切りカバー部
８０  庇
８１  立ち壁
【図１】
2015194078.tif 000003
【図２】
2015194078.tif 000004
【図３】
2015194078.tif 000005
【図４】
2015194078.tif 000006
【図５】
2015194078.tif 000007